(57)【要約】【課題】  従来の衣類は脱いだり着たりする際，腕の曲げ伸ばしをする必要があるが，身体的事情や狭い空間など腕の曲げ伸ばしが困難な場合には容易に脱ぎ着ができない。また，肌着にように内側に着用している場合，従来の衣類は上着等を着たままでは脱いだり着たりができない。このため，人目のある場所や厳寒な場所などでは肌着類の脱ぎ着を行いにくい。本発明は，これらの課題を解消するためになされたものである。【解決手段】衣類の前身頃の着脱部６が左右に開き，かつ，肩にかかる部分３が前後に着脱できるようにした。この形態により，腕の曲げ伸ばしが十分にできなくても，あるいは，上着等を着たままでも脱ぎ着が容易となる。使用する布の素材によって，肌着，ベスト，介護用衣類，スポーツウェア，ベビー服等多くの用途に使用できる衣類である。【選択図】図１
2017020150.tif 000002
【特許請求の範囲】
【請求項１】
衣類の前身頃が左右に開くように着脱ができ，かつ，肩の部分が前後に着脱できるようにした衣類。前身頃の着脱部は中央から垂直に開く形態に限らず，斜めや曲線状，和服のような合わせ，あるいは脇の下から縦に着脱する形態がある。肩の部分は両肩を連結する形態に限らず，片側だけを連結する形態がある。そして，前身頃の着脱部と肩部分の着脱部にはボタンに限らず，スナップボタン，ファスナー，面ファスナー，ひも，留め具等，布を連結するものを使用する。あるいは，前身頃は連結しない形態もある。肩にかかる部分は後身頃の肩部分を延長した形態の他，帯状，ひも状のものを使用する。
【請求項２】
後身頃の上部及び下部にフック等がかけられる穴を設け，衣類上部ともう一着の衣類の下部が連結できるようになっている請求項１の衣類。
【発明の詳細な説明】
【技術分野】
【０００１】  本発明は，脱いだり着たりが容易にできるようした衣類に関するものである。
【発明の概要】
【発明が解決しようとする課題】
【０００２】  従来の衣類は脱いだり着たりする際，衣類に腕を通すために腕の曲げ伸ばしをする必要があるが，身体的事情や狭い空間など腕の曲げ伸ばしが困難な場合には容易に脱いだり着たりができない。本発明は，この課題を解消するためになされたものである。【０００３】  また，上半身に複数枚の衣類を着用している場合に，肌着のように内側に着用している衣類だけを脱いだり着たりするためには，まず上層の服（以下，上着等と記載）を脱がなければならない。人目のある場所や厳寒な場所など，上半身を露出することができない状況下では内側に着用している衣類の脱ぎ着が行いにくい。この課題を解消するために内側に着用する衣類を提供する。
【課題を解決するための手段】
【０００４】  本発明は前身頃が左右に開くように着脱ができ，かつ，肩の部分が前後に着脱できるようにした衣類である。この形態により，衣類を脱いだり着たりする際，衣類に腕を通すために腕の曲げ伸ばしをする必要がない。また，上着等の内側に手を入れ，着脱部を外したりつけたりすることで，着用している本衣類だけを脱いだり着たりすることが可能となる。【０００５】  また，後ろ身頃の中央上部及び下部にフック等をかける穴を設け，衣類上部ともう一着の衣類の下部が連結できるようにした衣類である。このことにより，上着等の内側に本衣類を着用している場合，着用中の後ろ身頃上部と新たに着用しようとする後ろ身頃下部を適宜なフック等で連結し，上着等の襟口や裾等から手を入れ，着用中の本衣類の前身頃と肩部分の着脱部を外し，裾から引き出すことで，連結された衣類が襟口より背中に引き込まれる。後は上着等の襟口や裾等から手を入れ前身頃と肩部分を接合すれば上半身を露出せずに本衣類を着替えることができる。
【発明の効果】
【０００６】  脱いだり着たりすることが容易な衣類である本発明は，使用する布の素材によって，肌着，ベスト，介護用衣類，スポーツウェア，ベビー服等多くの用途に使用できる。たとえば，身体的な事情で腕の曲げ伸ばしが困難な方にとっては，衣類に腕を通すために腕の曲げ伸ばしをする必要がないので脱いだり着たりが容易になる。【０００７】  また，本発明は着脱のために腕の曲げ伸ばしをする必要がないので，車内やトイレの個室，狭い作業空間等で容易に脱いだり着たりすることができる。ベストのように上着として使用することで，このような場所で体温の調節を容易に図ることができる。【０００８】  本発明は，肌着として着用すると，上着を着用したまま脱ぐことができる。例えば，スポーツ選手が試合前に本衣類を試合用衣類の内側に着用してウォーミングアップを行い汗をかいた後，試合用衣類を脱がずに本衣類だけを脱ぐことができるので，煩わしい着替えをせず，コンディション保った状態で試合に臨むことができる。逆に，上着を着たまま内側に本衣類を着用しようとする際は，襟首から本衣類を背中に挿入し着用することができる。例えば，厳寒の中で防寒用衣類を着用していてそれ以上の上着等の着用ができない状況で，さらに防寒を必要とする際など，上着等を脱ぐことなく本衣類を内側に着用することが可能である。【０００９】  本衣類を肌着で着用している際，気温の上昇や運動後で汗にぬれた本衣類を裾から引き出すと同時に別の本衣類を襟口から挿入できるので，人目のあるところでも上半身を露出することなく着替えることができる。本衣類を複数持参することで，散歩やジョギング，登山，その他多くのスポーツや職場において発汗後の不快感から解放されるとともに汗による体温低下を防止することができる。
【図面の簡単な説明】
【００１０】
【図１】  本発明を着用した際の前身頃からの図である。（人物は省略している。）
【図２】  本発明を着用した際の後ろ身頃からの図である。（人物は省略している。）
【図３】  本発明の展開図である。
【図４】  前身頃の接合部が側面，肩にかかる部分が片側の本発明の正面図である。
【図５】  本発明の２着をフックで連接した図である。
【発明を実施するための形態】
【００１１】  以下，本発明の実施の形態について説明する。まず，着用方法である。最初に図３のように展開された本衣類の左右の肩にかかる部分３を左右の手でそれぞれ持つ。次に，片方の手を頭を越すように後ろにまわし本衣類を背負うようにする。次に，肩にかかる部分がずり落ちないように前屈みになり，図１に示すように肩部分の着脱部４と前身頃の着脱部６を接合し終了である。脱ぐ時は，左右の肩部分及び前身頃の着脱部を外すだけである。なお，図１に示す前身頃の着脱部６は中央から垂直に開く形態に限らず，図は省略しているが，斜めや曲線状，和服のように合わせる形態がある。さらに図４に示す側面の着脱部１０のように脇の下から縦に着脱する形態，また肩部分の着脱部８のように片側だけを接合する形態がある。そして，前身頃の着脱部６及び側面の着脱部１０と肩部分の着脱部４及び８にはボタンに限らず，スナップボタン，ファスナー，面ファスナー，ひも，留め具等，布を接合するものを使用する。また，前身頃の着脱部６は接合するための部品を設けない形態もある。また，肩にかかる部分３及び１１は後ろ身頃の肩部分を延長した形態の他，図は省略しているが帯状，ひも状のものを使用こともできる。
【００１２】  上着等の内側に着用中の本衣類を上着等を着たまま脱ぐ際は，襟口や裾から上着等内に手を入れ，脱ごうとする本衣類の前身頃の着脱部６及び肩部分の着脱部４を外し，裾から引き出す。逆に着用する際は本衣類を上着等の襟から背中に挿入し，襟口や裾から上着等内に手を入れ本衣類肩部及び前身頃を接合する。なお，背中への挿入は，本衣類の後ろ身頃の下の穴７に７０ｃｍ程度の適宜な鎖等，重みのあるひも状のものの先端をかけ，反対側の先端を襟首から背中に入れて裾へ通し，それを下へ引くことで本衣類を背中に引き入れる方法がある。
【００１３】  後ろ身頃の中央上部及び下部にフック等をかける穴５，７を設け，図５のように２着の衣類を連結できるようにしたことで，上着等を脱がずに内側に着用している本衣類だけを着替えることが可能となる。方法は，着用中の衣類１ｂの後ろ身頃上部と新たに着用しようとする衣類１ａの後ろ身頃下部を適宜なフック１１等で連結し，襟口や裾から上着等の内側に手を入れ，脱ごうとするの衣類１ｂの肩部及び前身頃の着脱部を外し，腰部から引き出す。この際に連結された衣類１ａが上着等の襟口より背中に引き込まれる。後は襟口や裾から上着等内に手を入れ本衣類肩部及び前身頃を接合する。
【符号の説明】
【００１４】    １    本発明の衣類本体
２    前身頃のボタンとボタンホール
２ａ  前身頃のボタン
２ｂ  前身頃のボタンホール
３    肩にかかる部分
４    肩部分の着脱部（ボタンとボタンホール）
４ａ  肩部分の着脱部のボタンホール
４ｂ  肩部分の着脱部のボタン
５    フック等をかける穴
６    前身頃の着脱部
７    フック，鎖等をかける穴
８    肩部分の着脱部（ボタンとボタンホール）
９    ボタンとボタンホール
１０  側面の着脱部
１１  肩にかかる部分
１２  フック
【図１】
2017020150.tif 000003
【図２】
2017020150.tif 000004
【図３】
2017020150.tif 000005
【図４】
2017020150.tif 000006
【図５】
2017020150.tif 000007